(57)【要約】【課題】バッテリーなどを昇圧して電力を供給する外部電源装置に接続した電子機器などの充電状態によっては、その昇圧電圧を抑えることができる外部電源装置を提供することを課題とする。【解決手段】外部電源装置は昇圧された電圧値とその電圧に至るまでの時間を計測することが可能な構成を有し、検出された電圧値と時間から昇圧電圧の上昇勾配を演算し，その勾配が所定の一定値以上となる場合には昇圧動作を停止させる構成となっている。 【選択図】図１
2016134351.tif 000002
【特許請求の範囲】
【請求項１】
電子機器に電力を供給できることを特徴とする電源装置であって、
該電源装置にはバッテリーが内蔵または外部に接続可能な構成を有し，
該バッテリーの電圧を昇圧する手段をさらに有し、
昇圧された電圧による電力を電子機器に供給することを特徴とする電源装置。
【請求項２】
前記昇圧手段は他励式発振方式であることを特徴とする請求項１に記載の電源装置。
【請求項３】
前記昇圧手段によって昇圧された電圧の値と、該昇圧された電圧の値に達するまでの時間の両方を、所定の時間間隔で計測を行い、その各々の計測された電圧および時間を記憶する手段をさらに有することを特徴とする請求項１または請求項２に記載の電源装置。
【請求項４】
前記計測および記憶された電圧値と時間から昇圧されている電圧値の上昇勾配を演算できる構成を有する請求項３に記載の外部電源装置。
【請求項５】
演算された前記昇圧電圧の上昇勾配が所定の値以上となる場合には昇圧動作を停止する構成を有することを特徴とする請求項４に記載の外部電源装置。
【請求項６】
電源装置周辺の環境温度を取得する手段をさらに有し、前記昇圧動作を停止するための上昇勾配の所定の値を環境温度により可変できる構成を有する請求項５に記載の外部電源装置。
【請求項７】
電源装置内部の温度を取得する手段をさらに有し、前記昇圧動作を停止するための上昇勾配の所定の値を前記内部の温度により可変できる構成を有する請求項５に記載の外部電源装置。
【請求項８】
昇圧手段および昇圧動作の制御および上昇勾配の演算等のためにＣＰＵを搭載していることを特徴とする、請求項１から請求項７のいずれか1項に記載の電源装置。
【請求項９】
前記電子機器はストロボ装置であることを特徴とする請求項１から請求項８に記載の電源装置。
【発明の詳細な説明】
【技術分野】
【０００１】
本発明は電子機器に接続する外部電源装置に関する。
【背景技術】
【０００２】
従来からストロボ装置に接続可能な外部電源装置が提供されており、その外部電源装置からストロボ装置に電力供給が可能となっている。また、ストロボ装置には電力を蓄えられるメインコンデンサと、該メインコンデンサから電力が供給される閃光放電管と、該閃光放電管からの光を反射する反射傘と、該反射傘からの光，および前記閃光放電管からの光を入射させて放射方向を制御する光学パネルを備えている。
このようなストロボ装置では、メインコンデンサに蓄えられている電力が閃光放電管に供給されると、該閃光放電管が発光し、閃光放電管前方に配置された光学パネルを通過した光が被写体に照射される。
【０００３】
一般にストロボ装置の外部電源接続端子にはメインコンデンサに充電された電荷が外部に放電されないよう、外部電源接続端子とメインコンデンサの間にダイオードが接続されている。すなわち、ストロボ装置の外部電源接続端子に接続される外部電源装置は自身の昇圧電圧を確認することが可能であるが、現在におけるメインコンデンサの電圧値は確認できないため、ある間隔で絶えず昇圧開始と昇圧停止を繰り返す必要がある。
このような事情から外部電源装置としては従来多く使用されていたＤＣ−ＤＣコンバーターを用いた自励発振式（たとえば、特許文献１参照）が多く採用されていたが充電効率および充電時間の観点からみると他励発振式が望ましい。
【０００４】
しかし、外部電源装置がメインコンデンサに電荷が多く蓄積された高インピーダンス状態にあるストロボ装置と接続され、前述した他励発振方式による昇圧動作を行った場合、非常に急速に昇圧電圧が上昇するため、自身の昇圧電圧を監視するタイミング及び昇圧停止の処理が所望のタイミングより遅れることで目標とする充電電圧値以上となってしまう弊害がある。
その結果、外部電源装置及び接続されたストロボ装置に内蔵された電子部品等の最大定格電圧を超えてしまい、電子部品等が破壊される可能性が出てくるとともに、必要以上に余分なエネルギーを消費するという問題がある。
【先行技術文献】
【特許文献】
【０００５】
【特許文献１】特開昭５９−１４３１３５
【発明の概要】
【発明が解決しようとする課題】
【０００６】
そこで、本発明は、斯かる実情に鑑み、外部電源装置から電力を供給するストロボ装置の電力を蓄えるメインコンデンサに多くの電荷が蓄積された状態においても外部電源装置の昇圧電圧を抑えることができる外部電源装置を提供することを課題とする。
【課題を解決するための手段】
【０００７】
本発明の外部電源装置は、ストロボ装置などの高電圧を必要とする電子機器と接続して、該電子機器に電力を供給できる外部電源装置であって、該外部電源装置に外部から接続あるいは内蔵された乾電池などのバッテリーの電圧を昇圧して該電子機器に出力するとともに、昇圧された電圧値とその電圧に至るまでの時間を計測することが可能な構成を有し、前記外部電源装置は前記検出された電圧値と時間から昇圧電圧の上昇勾配を演算し，その勾配が所定の一定値以上となる場合には昇圧動作を停止させる構成となっている。
【０００８】
かかる構成によれば非常に急速な昇圧電圧の上昇においても目標とする充電電圧を超過することなく昇圧動作を停止することができる。
【発明の効果】
【０００９】
本発明によれば、外部電源装置及び外部電源装置に接続された電子機器の電圧定格違反による装置の破壊を防ぎ、また必要以上の余分なエネルギー消費を抑えることができる。
【図面の簡単な説明】
【００１０】
【図１】本発明の第一の実施例を示す図
【図２】メインコンデンサ非充電時におけるＭＯＮ端子電圧推移を示す図
【図３】メインコンデンサ充電時におけるＭＯＮ端子電圧推移を示す図
【図４】メインコンデンサ充電時における本発明の一実施形態を応用したときのＭＯＮ端子電圧推移を示す図
【図５】本発明の第二及び第三の実施例を示す図
【図６】メインコンデンサ充電時において、環境温度の違いによるＭＯＮ端子電圧推移を示す図
【図７】メインコンデンサ充電時において、部品発熱温度の違いによるＭＯＮ端子電圧推移を示す図
【発明を実施するための形態】
【００１１】
（実施例１）
以下、本発明の一実施形態について、電子機器としてストロボ装置を例にして図面を参酌しつつ説明する。図１に示すように本実施形態に係る外部電源装置１は電力を供給するため閃光放電管を含む発光回路１９を有したストロボ装置１５と接続されている。
外部電源装置１は乾電池等を電源とした電源２を有し、その電源２をトランス３での他励発振方式による昇圧動作によりトランス３の２次側回路より、ストロボ装置１５に電力を供給する。
具体的には外部電源装置１の電界効果トランジスタ４のゲート端子に外部電源装置制御回路６のＣＬ２端子よりＨｉｇｈレベル信号とＬｏｗレベル信号を交互に与える。また、電界効果トランジスタ５のゲート端子に外部電源装置制御回路６のＣＬ１端子からＣＬ２端子と逆論理となるようにＬｏｗレベル信号とＨｉｇｈレベル信号を交互に与える。すなわち、ＣＬ２端子よりＨｉｇｈレベル信号を印加された電界効果トランジスタ４はドレイン−ソース間が導通状態となり、電源２から供給される電流がトランス３、電界効果トランジスタ４を介して流れることとなる。その時、ＣＬ１端子はＬｏｗレベル信号であるため、電界効果トランジスタ５は非導通状態である。また、ＣＬ１端子よりＨｉｇｈレベル信号を印加された電界効果トランジスタ５はドレイン−ソース間が導通状態となり、電源２から供給される電流がトランス３、電界効果トランジスタ５を介して流れることとなる。その時、ＣＬ２端子はＬｏｗレベル信号であるため、電界効果トランジスタ４は非導通状態である。
【００１２】
ＣＬ１端子、ＣＬ２端子の信号を逆論理となるようにＨｉｇｈレベルとＬｏｗレベル信号を繰り返すことでトランス３の２次側には電流が流れる。この電流はダイオード７とダイオード１０、或いはダイオード８とダイオード９を介して充電電圧安定化のためのコンデンサ１３の充電を行う。ここでストロボ装置１５のメインコンデンサ１８には電荷が十分蓄積されていないとすると、更にダイオード７、ダイオード１０とダイオード８、ダイオード９と外部電源装置コネクタ１４とストロボコネクタ１６、ダイオード１７を介して発光回路１９に電力を供給するためのメインコンデンサ１８の充電を行う。つまり外部電源装置１のコンデンサ１３とストロボ装置１５のメインコンデンサ１８の電位はほぼ同じ値となる。ただし、コンデンサ１３は外部電源装置１の充電電圧安定化用途であるため、メインコンデンサ１８に対して微小な容量となる。
【００１３】
ストロボ装置１５が発光を行う際、メインコンデンサ１８に充電された電荷は閃光放電管を含む発光回路１９に供給されることで閃光放電管に電流が流れるため発光が行われる。
【００１４】
ここで、ストロボ装置１５のメインコンデンサ１８、ダイオード１７、発光回路１９、更には外部電源装置１のコンデンサ１３、ダイオード７、ダイオード８、ダイオード９、ダイオード１０等には最大定格電圧が存在し、最大定格電圧の値を超えて昇圧動作が行われないように昇圧電圧を監視し、昇圧動作を停止する制御が必要となる。
【００１５】
そこで、外部電源装置１はトランス３の２次側に抵抗１１、抵抗１２を接続し、抵抗１１と抵抗１２で分圧された電圧値を外部電源装置制御回路６のＭＯＮ端子にて電圧値判別する。外部電源装置制御回路６はＣＰＵを含む構成を有しており、ＭＯＮ端子の電圧値判別はすなわち抵抗１１、抵抗１２で分圧された電圧をＣＰＵのアナログポートに入力することで電圧値を判別することで行う。すなわち前記のようにメインコンデンサ１８に十分に電荷が蓄積されていない場合、メインコンデンサ１８とほぼ同電位に充電されるコンデンサ１３の充電電圧値が抵抗１１と抵抗１２で分圧され、外部電源装置制御回路６のＭＯＮ端子に入力されるためコンデンサ１３及びメインコンデンサ１８の目標充電電圧に相当する電圧に達したときに電界効果トランジスタ４及び電界効果トランジスタ５のゲート端子へ外部電源装置制御回路６のＣＬ１端子及びＣＬ２端子をともにＬｏｗレベル印加することで充電停止を行う。なお、ＭＯＮ端子での充電電圧判別はＣＰＵを含む構成を有しているため、ＣＰＵの処理速度に依存したタイミングで電圧値を取得し、目標充電電圧に到達したか判別し、充電停止、或いは充電を継続するという動作を行うこととなる。
【００１６】
図２にメインコンデンサ１８及びコンデンサ１３が非充電時である場合のＭＯＮ端子の電圧推移を図示する。メインコンデンサ１８及びコンデンサ１３が非充電時においては図示するような緩やかな充電カーブを描くことになる。
【００１７】
図２において検出１〜検出７はＣＰＵによるＭＯＮ端子の電圧検出処理が行われるタイミングを示しており、このタイミングはＣＰＵの処理速度に依存し、電圧検出処理では外部電源装置制御回路６のＭＯＮ端子の電圧検出を行い、目標充電電圧に到達しているか判別し、充電停止、或いは充電を継続する処理が行われている。電圧検出処理が行われ、次回電圧検出処理が行われるタイミングはほぼ毎回Δtの時間を要する。
【００１８】
いま、メインコンデンサ１８とコンデンサ１３の目標充電電圧値に相当する時のＭＯＮ端子電圧がＹで示す電圧であった場合、検出６での電圧検出処理ではＭＯＮ端子電圧がＡであり、目標充電電圧到達時のＭＯＮ端子電圧Ｙに達していないため昇圧動作を継続する処理が選択される。その後、ＭＯＮ端子電圧はＹ点に達するが、次回電圧検出処理には検出６からΔtの時間を要するため検出７のタイミングで電圧検出処理が行われることとなる。ここでＭＯＮ端子電圧はＢ点となり、目標充電電圧到達時のＭＯＮ端子電圧Ｙを超えているために充電停止の処理がなされる。つまり、Ｂ点とＹ点との間には誤差電圧Ｖ１が生じることとなる。
【００１９】
ただし、誤差電圧Ｖ１は微小な差であるためにメインコンデンサ１８及びコンデンサ１３の目標充電電圧値と実際に充電された電圧値も同様に微小な差であり、前述した各部品の最大電圧定格を超えることはなく、余分なエネルギー差も微小に留まることとなる。
【００２０】
つぎに図３にメインコンデンサ１８が充電されている状態でのＭＯＮ端子電圧の電圧推移を示す。前述したメインコンデンサ１８及びコンデンサ１３が非充電時における昇圧動作時のＭＯＮ端子電圧の推移と電圧検出処理により充電停止がされた後、メインコンデンサ１８の充電電荷は閃光放電管を含む発光回路１９に供給されない限り、充電電荷が消費されないため充電電圧は低下しない。一方、コンデンサ１３は外部電源装置１の充電電圧安定化用途であり微小容量のため抵抗１１、抵抗１２などで充電電荷が瞬時に消費され、またストロボ装置１５にはメインコンデンサ１８の電荷が流出することを防ぐためのダイオード１７があるためにメインコンデンサ１８の充電電荷がコンデンサ１３に供給されることもない。よって、昇圧動作が停止されると、ＭＯＮ端子電圧は瞬時に目標充電電圧到達時ＭＯＮ端子電圧を下回ることとなる。
【００２１】
つまり、前述した電圧検出処理に基づき、外部電源装置１は再度充電処理を行うこととなるが、メインコンデンサ１８には既に充電電荷が蓄積されている状態となるため、充電負荷としてはハイインピーダンス状態となっている。その状態で充電処理が行われる場合、メインコンデンサ非充電時のＭＯＮ端子電圧推移と比較すると非常に急峻な電圧上昇となる。
【００２２】
すなわち、図３に示すように目標充電電圧到達時ＭＯＮ端子電圧が同様にＹであるときに検出２における電圧検出処理ではＭＯＮ端子電圧がＡ’点であるため昇圧動作は継続される。その後、ＭＯＮ端子電圧はＹ点に達するが、次回電圧検出処理には検出２からΔtの時間を要するため検出３のタイミングで電圧検出処理が行われることとなる。ここでＭＯＮ端子電圧はＢ’点となり、目標充電電圧到達時のＭＯＮ端子電圧Ｙを超えているために充電停止の処理がなされる。つまり、Ｂ’点とＹ点との間には誤差電圧Ｖ１’が生じることとなる。
【００２３】
図２で示した誤差電圧Ｖ１と比較すると誤差電圧Ｖ１’は非常に大きくなり、抵抗１１と抵抗１２の直列抵抗両端、コンデンサ１３等に印加される電圧は目標充電電圧を超え、部品の最大定格電圧さえも超過し、各部品の破壊に至る。
そのような事態を回避するために、本実施例では以下のような制御を行う。
図４に電圧上昇勾配を検出し、昇圧動作を停止した場合のＭＯＮ端子電圧推移を示す。図４ではメインコンデンサ１８が充電されている状態としており、前述したとおり、外部電源装置１は再度充電処理を行うこととなるが、メインコンデンサ１８には既に充電電荷が蓄積されている状態となるため、充電負荷としてはハイインピーダンス状態となっている。その状態で充電処理が行われる場合、図３で示したＭＯＮ端子電圧推移と同様に非常に急峻な電圧上昇となる。
【００２４】
図４における検出１、検出２はＣＰＵによるＭＯＮ端子の電圧検出処理が行われるタイミングを示しており、図２、図３で示したとおり検出１の電圧検出処理と検出２の電圧検出処理の間にはＣＰＵの処理速度に依存したΔtの時間を要する。
いま、検出１の電圧検出処理で取得した電圧値をＶα、その時の時間をｔ１とし、検出２の電圧検出処理で取得した電圧値をＶβ、その時の時間をｔ２とする。Ｖα、Ｖβ、ｔ１、ｔ２の値を取得した段階で、ＣＰＵは（Ｖβ−Ｖα）÷（ｔ２−ｔ１）の演算を行う。この演算結果をＺとしたとき、予め定められた判別基準値ｋと演算結果Ｚを比較する。ここで判別基準値ｋはメインコンデンサ１８に充電電荷が蓄積されている状態、つまりは充電負荷としてハイインピーダンスとなったときに外部電源装置１が昇圧動作を行った際に想定されるＭＯＮ端子電圧の上昇勾配となる値とする。
【００２５】
よって、演算結果Ｚが判別基準値ｋと同等、或いはそれより大きい値となる場合にはメインコンデンサ１８に充電電荷が蓄積されている状態、つまりは充電負荷がハイインピーダンスであり、コンデンサ１３に充電される充電電圧の上昇勾配が急峻であることが判別されるため、昇圧動作を停止する。
【００２６】
つまり、上記方法によればメインコンデンサ１８に充電電荷が蓄積されている状態、つまりは充電負荷としてハイインピーダンス状態で外部電源装置１が昇圧動作を行った場合にも、目標充電電圧を超えることなく、部品の最大定格電圧を超過することなく部品の破壊を防ぐことができ、さらに不必要なエネルギー消費を行うこともない。
【００２７】
演算結果Ｚが判別基準値ｋより小さい値である場合にはメインコンデンサ１８には充電電荷が蓄積されていない状態と判別できるため、継続して昇圧動作を行う。このときコンデンサ１３に充電される充電電圧の上昇勾配はなだらかであるため、図２で示したとおり目標充電電圧と実際に充電停止したときの充電電圧に大きな乖離がないため部品の最大定格電圧を超過することはない。
【００２８】
（実施例２）  
図５は本願発明による第二の実施例を示す図で図１に第１温度検出素子２０と第２温度検出素子２１を加え、それぞれ外部電源装置制御回路６に結線されている。その他部品、構成は図１と同様である。
【００２９】
第１温度検出素子２０は環境温度を取得するための部品であり、サーミスタなどで構成され、温度情報を外部電源装置制御回路６に送る。
【００３０】
いま、メインコンデンサ１８には充電電荷が蓄積されている状態とすれば、外部電源装置１が昇圧動作を行った場合は前述したとおりコンデンサ１３の充電電圧とＭＯＮ端子電圧の上昇勾配は急峻なものとなる。
【００３１】
ここで第１温度検出素子２０より取得した環境温度がＴａ１であるとした場合、図６に示すように電圧検出処理の検出１が行われるタイミングでのＭＯＮ端子電圧をＶα１、その時の時間をｔ１とし、電検出処理の検出２が行われるタイミングでのＭＯＮ端子電圧をＶβ１、その時の時間をｔ２とすると、この検出２と検出１の間における電圧上昇勾配は（Ｖβ１−Ｖα１）÷（ｔ２−ｔ１）で演算される演算結果Ｚ１となる。すなわち、前述した判別基準値ｋはＺ１と近しい値に設定される必要があり、このときの判別基準値をｋ１とする。
【００３２】
しかし、いま環境温度が変化し、第１温度検出素子２０により取得した環境温度がＴａ１からＴａ２に変化したとする。すなわち外部電源装置１のコンデンサ１３の容量成分やトランス３の抵抗成分等の値が変化する。すなわち、メインコンデンサ１８の充電電荷が蓄積されている状態とすれば、外部電源装置１が昇圧動作を行った場合のＭＯＮ端子電圧推移は図６に示すように変化する。
すなわち、電圧検出処理の検出１が行われるタイミングでのＭＯＮ端子電圧をＶα２、その時の時間をｔ１とし、電圧検出処理の検出２が行われるタイミングでのＭＯＮ端子電圧をＶβ２、その時の時間をｔ２とすると、この検出２と検出１の間における電圧上昇勾配は（Ｖβ２−Ｖα２）÷（ｔ２−ｔ１）で演算される演算結果Ｚ２となる。すなわち、前述した判別基準値ｋはＺ２と近しい値に設定する必要があり、このときの判別基準値をｋ２とする。
つまり、図６に示されるように環境温度がＴａ１とＴａ２のように変化する場合にはＭＯＮ端子電圧の電圧上昇勾配も変化することになり、その時に前述した判別基準値ｋもｋ１からｋ２に変動させる必要がある。
よって、第１温度検出素子２０を設置し、外部電源装置制御回路６に温度情報を送ることにより環境温度に応じた判別基準値ｋを変動させることが可能となる。
【００３３】
（実施例３）  
図５は本願発明による第三の実施例を示す図で第２温度検出素子２１は外部電源装置１の内部部品温度を取得するための部品であり、例えばトランス３の近傍などに設置され、サーミスタなどで構成され、温度情報を外部電源装置制御回路６に送る。
いま、メインコンデンサ１８には充電電荷が蓄積されている状態とすれば、外部電源装置１が昇圧動作を行った場合は前述したとおりコンデンサ１３の充電電圧とＭＯＮ端子電圧の上昇勾配は急峻なものとなる。ここで第２温度検出素子２１により取得したトランス３近傍温度がＴｉ１であるとした場合、図７に示すように電圧検出処理の検出１が行われるタイミングでのＭＯＮ端子電圧をＶα１、その時の時間をｔ１とし、電検出処理の検出２が行われるタイミングでのＭＯＮ端子電圧をＶβ１、その時の時間をｔ２とすると、この検出２と検出１の間における電圧上昇勾配は（Ｖβ１−Ｖα１）÷（ｔ２−ｔ１）で演算される演算結果Ｚ１となる。すなわち、前述した判別基準値ｋはＺ１と近しい値に設定される必要があり、このときの判別基準値をｋ１とする。
【００３４】
しかし、例えば連続して充電を行った場合などにおいて外部電源装置１を構成する部品は発熱する場合がある。いま、連続して充電を行ったことでトランス３の温度が上昇したとする。すなわち第２温度検出素子２１で取得されるトランス３近傍の温度がＴｉ１からＴｉ２に変更したとする。
すなわち外部電源装置１のトランス３の抵抗成分等の値が変化する。メインコンデンサ１８の充電電荷が蓄積されている状態とすれば、外部電源装置１が昇圧動作を行った場合のＭＯＮ端子電圧推移は図７に示すように変化する。すなわち、電圧検出処理の検出１が行われるタイミングでのＭＯＮ端子電圧をＶα２、その時の時間をｔ１とし、電圧検出処理の検出２が行われるタイミングでのＭＯＮ端子電圧をＶβ２、その時の時間をｔ２とすると、この検出２と検出１の間における電圧上昇勾配は（Ｖβ２−Ｖα２）÷（ｔ２−ｔ１）で演算される演算結果Ｚ２となる。すなわち、前述した判別基準値ｋはＺ２と近しい値に設定される必要があり、このときの判別基準値をｋ２とする。つまり、図７に示されるように外部電源装置１の部品発熱温度がＴｉ１とＴｉ２のように変化する場合にはＭＯＮ端子電圧の電圧上昇勾配も変化することになり、その時に前述した判別基準値ｋもｋ１からｋ２に変動させる必要がある。
よって、第２温度検出素子２１を設置し、外部電源装置制御回路６に部品発熱温度情報を送ることにより部品発熱に応じた判別基準値ｋを変動させることが可能となる。
【００３５】
本実施例ではトランス３の温度上昇を測定するためにトランス３近傍に第２温度検出素子２１を配置したが、外部電源装置１を構成する部品でＭＯＮ端子電圧の電圧上昇勾配に変化をもたらすものであれば、その部品温度を測定するために第２温度検出素子２１をその部品近傍に設置してもよく、また複数の温度検出素子を設置することも可能であることは言うまでもない。
なお、本発明の外部電源装置は、上記実施形態に限定されるものではなく、本発明の要旨を逸脱しない範囲内において種々変更を加え得ることは勿論である。
【００３６】
例えば、実施例では他励昇圧方式における構成・制御を記載したが急速に充電が行われ、目標とする充電電圧を超過してしまう他充電方式などにも応用可能となる。
【００３７】
なお、上記実施例としては、写真撮影時に使用するストロボ装置について説明を行ったが、本発明の外部電源装置に接続される機器はそれに限定されず、ストロボ装置と同様に高い電圧を必要とする他の電子機器についても、当然，本発明による外部電源装置が使用可能である。
【産業上の利用可能性】
【００３８】
本発明に係る外部電源装置は，外部電源装置及び接続された電子機器の部品破壊を発生させず、また必要以上の余分なエネルギー消費を発生させずに電子機器への電力供給が可能となる。
【符号の説明】
【００３９】
１  外部電源装置
２  電源
３  トランス
４、５  電界効果トランジスタ
６  外部電源装置制御回路
７、８、９、１０  ダイオード
１１、１２  抵抗
１３  コンデンサ
１４  外部電源装置コネクタ
１５  ストロボ装置
１６  ストロボコネクタ
１７  ダイオード
１８  メインコンデンサ
１９  発光回路
２０  第１温度検出素子
２１  第２温度検出素子
【図１】
2016134351.tif 000003
【図２】
2016134351.tif 000004
【図３】
2016134351.tif 000005
【図４】
2016134351.tif 000006
【図５】
2016134351.tif 000007
【図６】
2016134351.tif 000008
【図７】
2016134351.tif 000009